(57)【要約】【課題】検針を確実に行うために磁石体をぬいぐるみの縫製後で、しかも検針を終了した後に取付けることとし、そのための固定手段をも改良した、固定手段付きぬいぐるみを提供する。【解決手段】ぬいぐるみ本体の複数個所に磁石固定手段を装着し、自動車あるいはオートバイの金属表面に固定する形式のぬいぐるみであって、上記各磁石固定手段はマグネットを被覆布により完全に被覆して構成され、上記ぬいぐるみ本体の縫製工程後であってしかも検針終了後に、その足裏に纏るように縫着固定することを特徴とする。【選択図】図１
0003121732.tif 000002
【実用新案登録請求の範囲】
【請求項１】
ぬいぐるみ本体の複数個所に磁石固定手段を装着し、自動車あるいはオートバイの金属表面に固定する形式のぬいぐるみであって、上記各磁石固定手段はマグネットを被覆布により完全に被覆して構成され、上記ぬいぐるみ本体の縫製工程後であってしかも検針終了後に、その足裏に纏るように縫着固定することを特徴とする、磁石固定手段を有するぬいぐるみ。
【請求項２】
上記磁石固定手段は、少なくともぬいぐるみ本体の四肢の足裏に縫着固定されることを特徴とする請求項１記載の磁石固定手段を有するぬいぐるみ。
【請求項３】
上記マグネットを被覆固定する被覆布は、ぬいぐるみ本体を構成する布地と全く異なり、毛足の短い薄手の布地であることを特徴とする請求項１又は２記載の磁石固定手段を有するぬいぐるみ。
【考案の詳細な説明】
【技術分野】
【０００１】
本考案は、動物のぬいぐるみや人形（以下、ぬいぐるみと言う。）を簡単かつ確実に固定する手段に係り、特に、ぬいぐるみを自動車又はオートバイの金属部表面に固定する手段の改良に関する。
【背景技術】
【０００２】
ぬいぐるみを固定する従来公知の１つの方法は、例えば登録実用新案第３０５６２１５号公報に記載されているように、ぬいぐるみの尻部に面ファスナーの一方を縫着し、固定すべき他の側にも面ファスナーの他方を縫着することによって、両者を係合させて固定するものである。
【０００３】
また、他の公知例である特開２００３−２９００７１号公報には、ぬいぐるみ自体にボタンを取付け、例えばタオルやハンカチ等の布製品からなる固定側には、該ボタンを係合するボタンホールを形成する方法が開示されている。
しかしながら、これら公知のぬいぐるみ固定手段では、例えば自動車の車体表面、オートバイの燃料タンク表面等の金属部材表面にぬいぐるみを係合固定することができない。
【０００４】
そこで、ぬいぐるみの必要部分に永久磁石体直接を縫い込み、これを自動車等の金属材部分に吸着固定することにより、ぬいぐるみを固定する方法が考えられる。
しかしながら、このように永久磁石体をぬいぐるみ自体の一部分に封入する手法においても次のような問題点があった。
【０００５】
すなわち、ぬいぐるみは一般的に、比較的毛足の長い布地を各パーツとして裁断し、そのパーツを縫い合わせることによって製作されるが、このような毛足の長い布地の内側に磁石体を固定し、これを自動車等の金属面に吸着固定させると、磁石体吸着面と金属表面（磁性材）との間隙が大きくなり、その固定吸着力が弱くなると言う欠点があった。
【０００６】
また、ぬいぐるみはその製作（縫製）後に、例えば折れた縫い針片等の残留物の有無の確認する、いわゆる「検針」が必要であるが、通常の検針手段は磁気を利用して行うために、上記固定用の磁石体をぬいぐるみ内部に封入した後には検針できないと言う欠点があった。
【特許文献１】登録実用新案第３０５６２１５号公報
【特許文献２】特開２００３−２９００７１号公報
【考案の開示】
【考案が解決しようとする課題】
【０００７】
本考案は上記の不具合を改善したぬいぐるみを提供するものであって、特に、検針を確実に行うために磁石体をぬいぐるみの縫製後で、しかも検針を終了した後に取付けることとし、そのための固定手段をも改良した、固定手段付きぬいぐるみを提供するものである。
【課題を解決するための手段】
【０００８】
本考案は、ぬいぐるみ本体の複数個所に磁石固定手段を装着し、自動車あるいはオートバイの金属表面に固定する形式のぬいぐるみであって、上記各磁石固定手段はマグネットを被覆布により完全に被覆して構成され、上記ぬいぐるみ本体の縫製工程後であってしかも検針終了後に、その足裏に纏るように縫着固定することを特徴とするものである。
また、上記磁石固定手段は少なくともぬいぐるみ本体の四肢の足裏に縫着固定され、上記マグネットを被覆固定する被覆布は、ぬいぐるみ本体を構成する布地と全く異なり、毛足の短い薄手の布地で構成される。
【考案の効果】
【０００９】
本考案のぬいぐるみによれば、磁石固定手段をぬいぐるみ本体の縫製後に取付け可能であり、ぬいぐるみの縫製後に検針を確実に行うことができ、極めて安全な磁石固定手段付きぬいぐるみを得ることができる。
また、固定手段であるマグネットを特別薄手で丈夫な布地によりくるみ、ぬいぐるみの外表面に取り付けるため、マグネットと被固定部材との間にぬいぐるみ本体の構成布が介在せず、マグネットの吸着力を最大限活用することができた。
更に、ぬいぐるみの各足部（手も含む）にそれぞれ固定手段を外設することにより、吸着力を一層増大させることができた。
【考案を実施するための最良の形態】
【００１０】
本考案に係る磁性体を用いた固定手段を有するぬいぐるみの、１つの実施形態を図１乃至図５により説明する。
この実施例はイヌのぬいぐるみに関するものであって、例えばオートバイの燃料タンク部表面などに簡単に吸着固定させ、自動車やオートバイの展示、宣伝などに用いるものである。このぬいぐるみにあっては、４本の足の足裏であるいわゆる「肉球」に相当する部分及び腹部に、夫々円盤状の永久磁石を縫着固定している。
【００１１】
ここで、図１は４本の各足部に磁石体を封入したぬいぐるみ本体の外観図を示しており、図２及び図３は磁石体Ｍをその封入用被覆布でくるむ工程を示している。
また、図４及び図５は、被覆布でくるまれた磁石体をぬいぐるみの足裏部分に固定する行程を示している。
図１において、例えばイヌのぬいぐるみ本体１は、従来通常の方法により縫製加工され、比較的毛足の長い布地からなる多数のパーツを縫い合わせて作成される。そして重要なことは、該ぬいぐるみ本体１の完成後に検針が行われ、安全が確認された後に磁石固定手段２が、ぬいぐるみ本体１の４本の足３〜３の各足裏及び腹部に固定されることである。
【００１２】
図２及び図３は、上記磁石固定手段２の製作工程を示している。
図２において、固定用マグネットＭはこれを被覆する円形の被覆布４の一側面に載置される。該被覆布４は、なるべく薄手の丈夫な布片が用いられる。また、固定用マグネットＭは通常、前足部にそれぞれ２３００ガウス、後足部及び腹部には各１０００ガウス程度の磁石が用いられる。
【００１３】
図３は、上記磁石固定手段２において、被覆布４によりマグネットＭを被覆する手順を開示しており、先ず、マグネットＭを載置する被覆布４の外周縁部４Ａに、縫針Ｎを用いて糸Ｓを串縫い（運針縫い）する。
しかしながら、該糸Ｓによる串縫いは当然に、図３においてマグネットＭを取り除いた状態で行われることも明らかである。
【００１４】
図４は、上記図３の状態において縫針Ｎに挿通されて被覆布４の外周縁部４Ａを刺し通された糸Ｓを引き締めて、その被覆布４の外周縁部４Ａを寄せ集め、被覆布４によりマグネットを完全に被覆した状態を示している。なお、図４は同一磁石固定手段２の裏面２Ｂ及び表面２Ａの両方を表わしている。
【００１５】
図５は、上記図４に示すマグネットが被覆布４により完全に被覆された状態の磁石固定手段２を、イヌ形ぬいぐるみの足３の裏面に縫着する状態を示している。図において、イヌのぬいぐるみの足３は、その足裏にいわゆる肉球部分が形成されているので、この実施例にあっては、磁石固定手段２を当該肉球部分に縫着している。
【００１６】
この場合も縫針Ｎと糸Ｓとを用いて、一般的には手縫いで縫着される。この時、図４に示す磁石固定手段２の裏面２Ｂの外周縁部２Ｃを、上記ぬいぐるみの足３の裏面に対して、「纏る」ようにして縫着固定することができる。
【００１７】
このようにしてぬいぐるみ本体１に対して、例えば４本の足の足裏及び腹部のそれぞれに対応して、各１個の磁石固定手段を縫着することにより、可成りの重量のぬいぐるみを合計５個の磁石固定手段によって固定支持できると共に、被覆布を薄くて丈夫なものとすることができるので、マグネットＭが金属体に接近して配置され、強力な吸着固定力を得ることができる。
【００１８】
更に、本考案においては上述の通り、磁石固定手段２をぬいぐるみの作成後に縫着できるので、ぬいぐるみ本体１の全ての製作工程の終了後に検針を行うことが可能となり、極めて安全な磁石固定手段付きぬいぐるみを作成することができた。
【図面の簡単な説明】
【００１９】
【図１】本考案に係るぬいぐるみの外観図である。
【図２】マグネットと被覆布との配置説明図である。
【図３】マグネットを被覆布でくるむ行程説明図である。
【図４】磁石固定手段の表裏の斜視図である。
【図５】磁石固定手段のぬいぐるみの足部への取付け説明図である。
【符号の説明】
【００２０】
１    ぬいぐるみ本体
２    磁石固定手段
２Ａ  磁石固定手段の表面
２Ｂ  磁石固定手段の裏面
２Ｃ  磁石固定手段の外周縁部
３    ぬいぐるみの足
４    被覆布
４Ａ  被覆布の外周縁部
Ｍ    マグネット
Ｎ    縫針
Ｓ    糸
【図１】
0003121732.tif 000003
【図２】
0003121732.tif 000004
【図３】
0003121732.tif 000005
【図４】
0003121732.tif 000006
【図５】
0003121732.tif 000007